(57)【要約】      （修正有）【課題】コードの余長部分を束ねた際、コードの折返し部分が広がらず、他の物に絡むことを極力防止できると共に、コードを束ねた際の長さが一定になって美観を向上させることができるコード結束具を提供する。【解決手段】コード結束具１は、コードの余長部分を束ねて結ぶものであって、長尺の本体部１１と、その本体部１１の少なくとも前後両側に設けられ、その本体部１１の前後両端部から長手方向に対しほぼ直交方向に湾曲しながら延び、その先端と本体部１１との間には所定の隙間を空けて設けられた前後一対のコード掛止部１２，１２と、前後一対のコード掛止部１２，１２の間に設けられ、本体部１１に対し開閉可能に設けられる共に、本体部１１からその長手方向に対しほぼ直交方向に湾曲しながら延び、その先端には本体部１１の係合部１１ａと係合する被係合孔１３ａが設けられた開閉自在ロック部１３とを有する。【選択図】図１
0003192166.tif 000002
【実用新案登録請求の範囲】
【請求項１】
コードの余長部分を束ねて結ぶコード結束具であって、
長尺の本体部と、
その本体部の少なくとも前後両側に設けられ、その本体部の前後両端部から長手方向に対しほぼ直交方向に湾曲しながら延び、その先端と本体部との間には所定の隙間を空けて設けられた前後一対のコード掛止部と、
前後一対のコード掛止部の間に設けられ、本体部に対し開閉可能に設けられる共に、本体部からその長手方向に対しほぼ直交方向に湾曲しながら延び、その先端には本体部の係合部が係合する被係合部が設けられた開閉自在ロック部とを有することを特徴とするコード結束具。
【請求項２】
請求項１記載のコード結束具において、
本体部における前後一対のコード掛止部の基部が設けられた反対側には、さらに、前後一対のコード掛止部と本体部との間にコードを案内する前後一対のコード案内片が設けられていることを特徴とするコード結束具。
【請求項３】
請求項１または請求項２に記載のコード結束具において、
開閉自在ロック部の基部と前後一対のコード掛止部の基部とは、本体部の反対側に設けられていることを特徴とするコード結束具。
【請求項４】
請求項１〜請求項３のいずれか一の請求項に記載のコード結束具において、
係合部の表面中央には、本体部の長手方向に対し直交する方向に延び、開閉自在ロック部によるロック動作を案内するロック動作案内凸部が設けられている一方、
開閉自在ロック部の裏側には、その先端部から被係合部までロック動作案内凸部を案内するロック動作ガイド溝が形成されていることを特徴とするコード結束具。
【考案の詳細な説明】
【技術分野】
【０００１】
本考案は、コードの余長部分を束ねて結ぶコード結束具に関する。
【背景技術】
【０００２】
近年、パソコンや携帯電話、スマートフォン、タブレット等の情報通信端末や電気機器の進歩に合わせて、これらの情報通信端末や電気機器に電流を供給するため、会社でも家庭でも、複数の電源コンセントが多用されており、コードの本数も増加しており、コードの余長部分の処理に困っている。
【０００３】
そのため、コードの余長部分を束ねて結ぶコード結束具として、帯状をなす本体部と、該本体部の一端部側に長手方向に沿って設けられた複数の掛止突起と、本体部の他端部側に設けられた開口とを有し、一端部側部分を開口に挿通して、掛止突起を開口の縁部に係合させる形式の結束バンドが提案されている（例えば、特許文献１参照。）。
【先行技術文献】
【特許文献】
【０００４】
【特許文献１】実用新案登録第２５１４０６８号公報
【考案の概要】
【考案が解決しようとする課題】
【０００５】
しかし、前記特許文献１に記載のコード結束具は、コードの余長部分を束ね、その束の中央部分に巻いて固定するように構成しており、コードのループ状の折返し部分（ループ部分）は何ら留めていないため、折返し部分（ループ部分）が広がり、他の物に絡み易いという問題があった。
【０００６】
また、前記特許文献１に記載のコード結束具は、コードの余長部分を束ね、その束の中央部分に巻いて固定するだけであるので、コードを束ねた際の長さが一定にならず、折り返したコードの長さが揃わず、美観を損ねるという問題もあった。
【０００７】
そこで、本考案はこのような問題点に鑑みなされたもので、コードの余長部分を束ねた際、コードの折返し部分が広がらず、他の物に絡むことを極力防止できると共に、コードを束ねた際の長さが一定になって美観を向上させることができるコード結束具を提供することを目的とする。
【課題を解決するための手段】
【０００８】
前記課題を解決するため、本考案のコード結束具は、コードの余長部分を束ねて結ぶコード結束具であって、長尺の本体部と、その本体部の少なくとも前後両側に設けられ、その本体部の前後両端部から長手方向に対しほぼ直交方向に湾曲しながら延び、その先端と本体部との間には所定の隙間を空けて設けられた前後一対のコード掛止部と、前後一対のコード掛止部の間に設けられ、本体部に対し開閉可能に設けられる共に、本体部からその長手方向に対しほぼ直交方向に湾曲しながら延び、その先端には本体部の係合部が係合する被係合部が設けられた開閉自在ロック部とを有することを特徴とする。
ここで、本体部における前後一対のコード掛止部の基部が設けられた反対側には、さらに、前後一対のコード掛止部と本体部との間にコードを案内する前後一対のコード案内片が設けられていると良い。
また、開閉自在ロック部の基部と前後一対のコード掛止部の基部とは、本体部の反対側に設けられているとさらに良い。
また、係合部の表面中央には、本体部の長手方向に対し直交する方向に延び、開閉自在ロック部によるロック動作を案内するロック動作案内凸部が設けられている一方、開閉自在ロック部の裏側には、その先端部から被係合部までロック動作案内凸部を案内するロック動作ガイド溝が形成されているとさらに良い。
【考案の効果】
【０００９】
本考案に係るコード結束具によれば、長尺の本体部の少なくとも前後両側に前後一対のコード掛止部を設けると共に、その間に先端に本体部の係合部が係合する被係合部が設けられた開閉自在ロック部を設けたため、コードの余長部分を束ねた際、前後一対のコード掛止部によってコードの折返し部分の両側を留めることにより、コードの折返し部分がループ状になっても広がらず、かつ、その折返し部分内にコード掛止部の一部が存在することになるので、コードの折返し部分が他の物に絡むことを極力防止することができる。また、前後一対のコード掛止部でコードを折り返すことによりコードを束ねた際の長さが一定になるので、美観を向上させることができる。
【図面の簡単な説明】
【００１０】
【図１】本考案に係るコード結束具の斜視図である。
【図２】（ａ），（ｂ）それぞれ本考案に係るコード結束具の平面図、底面図である。
【図３】本考案に係るコード結束具の正面図である。
【図４】（ａ），（ｂ）それぞれ本考案に係るコード結束具の左側面図、右側面図である。
【図５】（ａ），（ｂ）それぞれ図１（ｂ）における開閉自在ロック部が開いた状態のＡ−Ａ線断面図、開閉自在ロック部が閉じたロック状態のＡ−Ａ線断面図である。
【図６】本考案に係るコード結束具によりコードの余長部分を結束した状態を示す平面図である。
【考案を実施するための形態】
【００１１】
次に、本考案に係るコード結束具の実施の形態について説明する。
【００１２】
この考案のコード結束具１は、コード２の余長部分を束ねて結ぶコード結束具１であって、ＡＢＳ等の合成樹脂から構成され、長尺の本体部１１と、前後一対のコード掛止部１２，１２と、開閉自在ロック部１３と、前後一対のコード案内片１４，１４とから構成されている。
【００１３】
本体部１１は、図１や、図３、図５（ａ），（ｂ）等に示すように、湾曲した断面形状を有しており、長尺で前後両端部には前後一対のコード掛止部１２，１２が一体的に設けられている一方、ほぼ中央には開閉可能な状態で開閉自在ロック部１３が一体的に設けられている。また、本体部１１における開閉自在ロック部１３が設けられた側とは反対側には、開閉自在ロック部１３先端の被係合孔１３ａに係合して、開閉自在ロック部１３を固定する係合部１１ａが一体的に形成されている。
【００１４】
また、係合部１１ａの表面中央には、図１や、図２（ａ），（ｂ）、図４（ａ），（ｂ）等に示すように、本体部１１の長手方向に対し直交する方向に延び、開閉自在ロック部１３によるロック動作を案内するロック動作案内凸部１１ｂが設けられている。
【００１５】
コード掛止部１２，１２は、図１や、図２（ａ），（ｂ）、図４（ａ），（ｂ）等に示すように、それぞれ、本体部１１の前後両側に設けられており、また、図３や図５（ａ），（ｂ）等に示すように本体部１１の前後両端部から本体部１１の長手方向に対しほぼ直交方向に円を描くように湾曲状態で延び、その先端部と本体部１１の対向する上側面との間には所定の隙間を空けて構成されている。
【００１６】
ここで、このコード結束具１自身、ＡＢＳ等の合成樹脂から形成されており、前後一対のコード掛止部１２，１２は人が指で押したり、コード２を強く当てると変形して、本体部１１に対し撓んだりして弾性変形し、のコード掛止部１２，１２先端部と、本体部１１の対向する上側面との間の所定間隔の隙間が広がったり、狭まったりするように構成されている。
【００１７】
そのため、コード掛止部１２，１２先端部と、本体部１１の対向する上側面との間には所定の隙間は、コード２の径（太さ）とほぼ同じか、容易に脱落しないようコード２の径（太さ）よりも小さくして良いし、大きくても良い。
【００１８】
開閉自在ロック部１３は、図１や、図２（ａ），（ｂ）、図４（ａ），（ｂ）等に示すように、本体部１１における前後一対のコード掛止部１２，１２の間のほぼ中間に、本体部１１に対し開閉可能になるように薄肉部１３ｂを介して設けられるもので、図３や図５ａ），（ｂ）等に示すように、本体部１１からその長手方向に対しほぼ直交方向に円を描くように湾曲状態で延び、その先端には本体部１１の係合部１１ａと係合する被係合孔１３ａが設けられている。
【００１９】
また、開閉自在ロック部１３の裏（内側面）側には、図１や図３、図５（ａ），（ｂ）等に示すように、先端部から被係合孔１３ａまで本体部１１中央の係合部１１ａ表面のロック動作案内凸部１１ｂを案内（ガイド）するロック動作ガイド溝１３ｃが形成されている。
【００２０】
コード案内片１４，１４は、図１や図２（ａ），（ｂ）、図４（ａ），（ｂ）等に示すように、それぞれ、対応する前後一対のコード掛止部１２．１２に対し、対向するように本体部１１の反対側に設けられ、コード掛止部１２．１２と本体部１１との間にコード２を案内するもので、図３等に示すように先端部に向かうに従ってその厚さが薄くなるように形成されている。
【００２１】
また、コード案内片１４，１４は、コード掛止部１２．１２の外側端部と同様に、図１や、図２（ａ），（ｂ）や、図４（ａ），（ｂ）に示すように、それぞれ、外側に向かって傾斜して延びている。
【００２２】
従って、本実施形態のコード結束具１によれば、長尺の本体部１１の少なくとも前後両側に前後一対のコード掛止部１２，１２を設けると共に、その間に先端に本体部１１の係合部１１ａと係合する係合部が設けられた開閉自在ロック部１３を設けたため、コード２の余長部分を束ねた際、前後一対のコード掛止部１２，１２によってコード２の折返し部分の両側を留めることにより、コード２の折返し部分がループ状になっても広がらず、かつ、その折返し部分内にコード掛止部の一部が存在することになるので、コード２の折返し部分が他の物に絡むことを極力防止することができる。
【００２３】
また、前後一対のコード掛止部１２，１２にコード２を掛止して折り返すことになるので、コード２を束ねた際の長さが一定になって美観を向上させることができる。
【００２４】
また、本実施形態のコード結束具１では、前後一対のコード掛止部１２，１２の基部が設けられた反対側には対向するようにコード案内片１４，１４が設けられており、コード案内片１４，１４は先端部に向かうに従ってその厚さが薄くなるように形成されているため、コード掛止部１２．１２の先端部とコード案内片１４，１４の先端部との間の隙間からコード２を中に簡単に案内することが可能となり、コード２の余長部分を結束する際の使用勝手が向上する。
【００２５】
また、コード案内片１４，１４は、図２（ａ），（ｂ）や図４（ａ），（ｂ）等に示すように、コード掛止部１２．１２の外側端部と同様に、外側に向かって傾斜して延びているため、コード掛止部１２．１２と本体部１１との間で結束したコード２のループ部分（折返し部分）が、コード掛止部１２．１２の先端部とコード案内片１４，１４の先端部との間の隙間から飛び出そうとすることを防止でき、美観を向上させることができる。
【００２６】
また、本実施形態のコード結束具１では、開閉自在ロック部１３の基部は、前後一対のコード掛止部１２，１２の基部とは、本体部１１の反対側に設けている。
【００２７】
これは、ユーザがこの施形態のコード結束具１を握ってコード２の余長部分を本体部１１の前後一対のコード掛止部１２，１２に巻き付けていく際、前後一対のコード掛止部１２，１２の先端部と本体部１１との間の隙間からコードを通すため、通常は、一対のコード掛止部１２，１２の先端部はユーザの手の指先側になるのに対し、一対のコード掛止部１２，１２の基部はユーザの手の腹側にくるので、開閉自在ロック部１３の基部と前後一対のコード掛止部１２，１２の基部とが本体部１１の同じ側に設けられていると、開閉自在ロック部１３にユーザの手の腹側が当ってしまい使い勝手が悪いからである。
【００２８】
これに対し、本実施形態のコード結束具１の開閉自在ロック部１３の基部は、前後一対のコード掛止部１２，１２の基部とは本体部１１の反対側、すなわち前後一対のコード掛止部１２，１２の先端部側に設けられているため、開閉自在ロック部１３を指先で押さえながらコード２の余長部分を本体部１１の前後一対のコード掛止部１２，１２に巻き付けていくことが可能となり、使用勝手を向上させることができる。
【００２９】
また、本実施形態のコード結束具１によれば、本体部１１側の係合部１１ａの表面中央には、本体部１１の長手方向に対し直交する方向に延び、開閉自在ロック部１３によるロック動作を案内するロック動作案内凸部１１ｂを設ける一方、開閉自在ロック部１３の裏側には、その先端部から被係合部である被係合孔１３ａまでロック動作案内凸部１１ｂを案内するロック動作ガイド溝１３ｃを設けたため、ユーザがこのコード結束具１を握ってコード２の余長部分を本体部１１の前後一対のコード掛止部１２，１２に巻き付けた後、開閉自在ロック部１３の被係合孔１３ａを本体部１１の係合部１１ａに係合させてロックする際、係合部１１ａのロック動作案内凸部１１ｂが開閉自在ロック部１３のロック動作ガイド溝１３ｃに案内される。
【００３０】
その結果、結束すべきコード２が増大して、開閉自在ロック部１３を閉じてコード２を結束する際に大きな力が必要になっても、係合部１１ａのロック動作案内凸部１１ｂが開閉自在ロック部１３のロック動作ガイド溝１３ｃに案内されるので、開閉自在ロック部１３を本体部１１の係合部１１ａに容易かつ確実にロックすることが可能となり、この点でも使用勝手を向上させることができる。
【符号の説明】
【００３１】
１  コード結束具
１１  本体部
１１ａ  係合部
１１ｂ  ロック動作案内凸部
１２，１２  コード掛止部
１３  開閉自在ロック部
１３ａ  被係合孔
１３ｂ  薄肉部
１３ｃ  ロック動作ガイド溝
２  コード
【図１】
0003192166.tif 000003
【図２】
0003192166.tif 000004
【図３】
0003192166.tif 000005
【図４】
0003192166.tif 000006
【図５】
0003192166.tif 000007
【図６】
0003192166.tif 000008